Podtech/llm-jp-corpus-v4-ja_patent huggingface dataset:
(57)【要約】【課題】従来の針を使用した固定器具では、衣服が損傷する。そこで，本発明で衣服への負担を軽減させることを課題とする。【解決手段】上記課題を解決するために、請求項１記載の器具は従来の器具を衣服の裏からダメージを与えることなく磁力により固定する事を目的とし、磁石を使用する。尚かつ、請求項１記載の器具のズレ落ち防止にゴム素材を使用し運動によるズレを防止する。【選択図】図１
2005227736.tif 000002
【特許請求の範囲】
【請求項１】
磁石とゴム式滑り止めの付いた固定具により、金具付きの名札及びバッチ等を固定する装置。
【発明の詳細な説明】
【発明の詳細な説明】
【技術分野】
【０００１】本発明は、従来ある金具付きの名札及びバッチ等を磁石とゴム式滑り止めの付いた固定器具により、衣服を損傷することなく脱着する技術に関する。
【背景技術】
【０００２】従来の安全ピン等の針を使用した名札やバッチ等の固定器具では、脱着する際に衣服に穴があく等の損傷に繋がる。
【発明が解決しようとする課題】
【０００３】従来の針を使用した固定器具では、衣服が損傷する。
そこで、本発明で衣服への負担を軽減させることを課題とする。
【課題を解決するための手段】
【０００４】上記課題を解決するために、請求項１記載の器具は従来の器具を衣服の裏からダメージを与えることなく磁力により固定する事を目的とし、磁石を使用する。
尚かつ、請求項１記載の器具のズレ落ち防止にゴム素材を使用し運動によるズレを防止する。
【発明を実施するための最良の形態】
【０００５】衣服にダメージを与えることなく衣服の裏側から磁石とズレ落ち防止のゴム付きのコンパクトな器具により、従来の安全ピン等の付いた名札やバッチをそのまま固定する。
【発明の効果】
【０００６】本発明は以上に説明したような構成により次のような効果を奏する。
請求項１に記載されている発明は名札の取り外しが多い園児や、小学生を主に対象とする。
ただし、名札以外の目的で穴の開けられない物に脱着したり本体の素材を変えたりする事により、
上記条件者以外にもあらゆる可能性を持つものと思われる。
例に取ると器具本体をフエルトやコットン、綿やガーゼ、タオル生地、果てはヌーブラに使用されたシリコン製品などと組み合わせ着用中、使用者に違和感を与えずに使用できる物。
またブレザー等裏地が見える物と組み合わせる事例として本体をプラスチック等のプレートをハート等に型取った物にし、裏には磁石、表には様々なデザインやプリクラ等のクリアポケットをつけ、密かな願掛けや恋愛成就等に使用したりとあらゆるエンターテイメント性を発揮するとも考えられる。
また脱着が容易なため、針による危険性もなく破損痕も残らず衣服に興味が無くなった時、または長く使いたい時等に容易に次にまわす事ができる。
【図面の簡単な説明】
【図１】磁石による簡易固定具の正面図である。
【図２】磁石による簡易固定具の側面図である。
【図３】磁石による簡易固定具の応用例である。
【符号の説明】
１．ゴム製滑り止め。
縦０．２ｃｍ〜横１ｃｍ〜高さ０．１ｃｍ〜のゴムが３本程並んだもの。
衣服に対し約６０度程度にカットされている。
上部は先端が上を向いているため、上へのズレを防ぐ働きがある。
２．縦１〜２ｃｍ横２〜３ｃｍ高さ０．１〜０．５ｃｍ程の強力な磁石。
３．ゴム製滑り止め。
縦０．２ｃｍ〜横１ｃｍ〜高さ０．１ｃｍ〜のゴムが３本程並んだもの。
衣服に対し約６０度程度にカットされている。
下部は先端が下を向いているため、下へのズレ落ちを防ぐ働きがある。
４．コットン、シリコン、タオル地等のパターン。
【図１】
2005227736.tif 000003
【図２】
2005227736.tif 000004
【図３】
2005227736.tif 000005
(57)【要約】【課題】  ストラップの溶断を防止でき、且つ鉛の使用量を減らすことができる鉛蓄電池を得る。【解決手段】  複数の極板１の耳部１ａを接続するストラップ２を有し、このストラップ２の一端にはセル間接続部３を設ける。ストラップ２の上面に凹部４を設ける。凹部４は、セル間接続部３のないストラップ他端２ｂに開放すると共にその開放端に向かって凹部底面４Ａを傾斜させる。【選択図】    図１
2005276554.tif 000002
【特許請求の範囲】
【請求項１】
複数の極板の耳部を接続するストラップを有し、該ストラップの一端にはセル間接続部が設けられている鉛蓄電池であって、
前記ストラップの上面に凹部が設けられ、該凹部は前記セル間接続部のないストラップ他端に開放されると共にその開放端に向かって凹部底面が傾斜されていることを特徴とする鉛蓄電池。
【発明の詳細な説明】
【技術分野】
【０００１】
本発明は、複数の極板の耳部を接続するストラップを有する鉛蓄電池に関するものである。
【背景技術】
【０００２】
従来の鉛蓄電池は、図２に示すように複数の極板１の耳部１ａを接続する鉛製のストラップ２を有し、該ストラップ２の一端にはセル間接続部３設けられていた（例えば、特許文献１参照。）。
【０００３】
この場合、ストラップ２の上面２ａは平らである。また、上記ストラップ２で極板１が接続された正負の極板群は、図示しないが電槽内に電解液と共に収容されている。
【特許文献１】特開平０２−５６８５３号公報
【発明の開示】
【発明が解決しようとする課題】
【０００４】
しかしながら、上記従来のストラップ２を使用した鉛蓄電池では、電槽内電解液が少なくなりストラップ２が電解液より露出した時に大きい電流を流すと、該ストラップ２の温度が上昇して溶断するという問題点があった。また、上記従来のストラップ２では、電流が流れないところに鉛が多<使用されるという問題点があった。
【０００５】
本発明の目的は、ストラップの溶断を防止でき、且つ鉛の使用量を減らすことができる鉛蓄電池を提供することにある。
【０００６】
ストラップの上部に凹部を有しており、該凹部は、前記セル間接続部のない他端に開放し，且つ開放端に向かって傾斜させ、ストラップの表面積を大き<して放熱を良くし、鉛量を低減した鉛蓄電池を提供することである。
【課題を解決するための手段】
【０００７】
本発明は、複数の極板の耳部を接続するストラップを有し、該ストラップの一端にはセル間接続部が設けられている鉛蓄電池を対象とする。
【０００８】
本発明に係る鉛蓄電池では、前記ストラップの上面に凹部が設けられ、該凹部は前記セル間接続部のないストラップ他端に開放されると共にその開放端に向かって凹部底面が傾斜されていることを特徴とする。
【発明の効果】
【０００９】
本発明に係る鉛蓄電池用ストラップでは、ストラップの上面に凹部が設けられ、該凹部はセル間接続部のないストラップ他端に開放されると共にその開放端に向かって凹部底面が傾斜されているので、該ストラップの表面積が大きくなり、電解液の上で該ストラップに大きな電流が流れても、放熱効率が向上し、該ストラップの溶断を防止することができる。また、該ストラップの上面の凹部は、セル間接続部のないストラップ他端に開放されると共にその開放端に向かって凹部底面が傾斜されているので、該ストラップの上面に凹部が設けられていても、電解液を容易に下方に落とすことができる。
【発明を実施するための最良の形態】
【００１０】
以下、本発明に係る鉛蓄電池を実施するための最良の形態における一例を、図１に示す要部斜覗図を参照して詳細に説明する。なお、前述した図２と対応する部分には、同一符号を付けて示している。
【００１１】
本例の鉛蓄電池では、鉛製のストラップ２の上面２ａに溝状に凹部４が設けられている。該凹部４は、セル間接続部３のないストラップ他端２ｂに開放されると共にその開放端に向かって凹部底面４ａが傾斜されている。その他の構成は、前述した図２と同様である。
【００１２】
本例の鉛蓄電池では、ストラップ２の上面２ａに凹部４が設けられ、該凹部４はセル間接続部３のないストラップ他端２ｂに開放されると共にその開放端に向かって凹部底面４ａが傾斜されているので、該ストラップ２の表面積が大きくなり、電解液の上で該ストラップ２に大きな電流が流れても、放熱効率が向上し、該ストラップ２の溶断を防止することができる。また、該ストラップ２の上面２ａの凹部４は、セル間接続部３のないストラップ他端２ｂに開放されると共にその開放端に向かって凹部底面４ａが傾斜されているので、該ストラップ２の上面２ａに凹部４が設けられていても、電解液を容易に下方に落とすことができる。
【実施例１】
【００１３】
次に、本発明の実施例１について説明する。鉛蓄電池用ストラップ２に幅５ｍｍの溝状の凹部４を設け、当該ストラップ２を使用した９５Ｄ３１形蓄電池にて高率放電（４０℃、１０００Ａ）を実施し、ストラップ２が溶断するまでの時間を測定した。
【００１４】
その結果、従来の凹部のないストラップ２を使用した９５Ｄ３１形鉛蓄電池の場合、その持続時間が２５秒であるのに対し、本例の凹部４を有するストラップ２を使用した９５Ｄ３１形鉛蓄電池の場合、ストラップ２の溶断はしなかった。
【図面の簡単な説明】
【００１５】
【図１】本発明の鉛蓄電池の要部の斜覗図である。
【図２】従来の鉛蓄電池の要部の斜覗図である。
【符号の説明】
【００１６】
１    極板
１ａ  耳部
２    ストラップ
２ａ  上面
２ｂ  ストラップ他端
３    セル間接続部
４    凹部
４ａ  凹部底面
【図１】
2005276554.tif 000003
【図２】
2005276554.tif 000004
(57)【要約】【課題】高層ビルなどによる日陰の家屋や樹木などに、太陽の反射光を常に照射出来る太陽光反射装置を提供する。【解決手段】光センサー１０を反射板９と対向した位置に配置し、反射板９からの太陽２２の反射光２３の入射方向を検知して得た出力リレーＸＡ、ＸＢ及びＸＣ、ＸＤにより、モータ１５を左右方向に、モータ１８を上下方向に正、逆転さすことによって、反射板９を、上下、左右方向に動かして、反射光２３を常に一定方向に向ける太陽光反射装置を構成する。【選択図】  図７
2005276793.tif 000002
【特許請求の範囲】
【請求項１】
取付基板に仕切板を取付け、その仕切られた部分に複数の受光素子を配置し、それぞれの受光素子面に入射する反射光の強弱を比較して得た、出力リレーＸＡ又はＸＢ及びＸＣ又はＸＤをＯＮ、ＯＦＦする光センサー。
【請求項２】
請求項１記載の光センサーを反射板面と対向させて取り付けて、太陽光の反射方向を検知し、その出力リレーＸＡ又はＸＢ及びＸＣ又はＸＤのいずれかの接点により、左右用、上下用モータを正、逆転させて、左右、上下に反射板の向きを変えることによって、反射光を常に光センサーの方向に向ける太陽光反射装置。
【発明の詳細な説明】
【技術分野】
【０００１】本発明は、太陽光を効率的に反射させるために、反射光の方向を検知する光センサーと、反射板による反射光を常に一定方向に照射して、日陰を解消する太陽光反射装置に関するものである。
【背景技術】
【０００２】従来、太陽を追尾して、自動的に太陽光を一定の場所に反射させる装置は無く、ビルなどの壁面に反射板を取り付けたり、窓ガラスをハーフミラーにして、周辺に反射させる方法が有った。
【発明の開示】
【発明が解決しようとする課題】
【０００３】解決しようとする問題点は、太陽の位置は、季節や時刻によって方向が変わるので、常に一定の場所に光を反射させることが出来ない点である。
【課題を解決するための手段】
【０００４】本発明は、光センサー１０内部の受光素子３により、上下、左右方向の反射光２３の強弱を比較検出することで、その受光素子３に対応する出力リレー（ＸＡ又はＸＢ）及び（ＸＣ又はＸＤ）を動作させ、それぞれの出力リレーの接点の開閉状態で、モータ１５又は１８を正、逆転させて、反射板９の向きを変えて、反射光２３の方向を常に、光センサー１０と対向させることが出来る。光が無くなるとその位置で停止し、再び光を感じると、その方向に自動的に姿勢制御することが可能である。
【発明の効果】
【０００５】光センサーにより、太陽の反射光の方向を検知し、反射板の向きを姿勢制御して、反射光を常に一定の方向に向けることが出来るので、ビル等の日陰の家屋や樹木などを照射することが可能で、特に冬期には、暖気と爽快感を得ることが出来るので、頻発している日照権問題を解消することが出来る。
【発明を実施するための最良の形態】
【０００６】大がかりな設置工事をすることなく、少ないスペースに装置を取り付けるだけで、広範囲の対象物を正確に照射することが可能である。
【実施例１】
【０００７】図１は、光の強弱の比較アンプ回路の説明図であり、受光素子３、比較アンプ１、２とそれぞれに対応した出力リレーＸＡ、ＸＢ及びＸＣ、ＸＤより成る。【０００８】図２、図３は、受光素子３を左右用ＰＡ、ＰＢ及び上下用ＰＣ、ＰＤとし、仕切板６で分割された部分に配置する。
【実施例２】
【０００９】図４は、本発明の左右方向姿勢制御部の説明図で、光センサー１０、反射板９、モータ１５，歯車１３，駆動軸１１，軸受け１４，及びフレーム１２で構成する。【００１０】図５は、本発明の上下方向の姿勢制御部の右側面図で、図４に装着した部品の外に、上下駆動用モータ１８、歯車１６及び駆動軸１７より構成する。【００１１】図６の様に、図４及び図５の、上下、左右方向姿勢制御のためのモータ１５、及び１８を電気回路に接続する。【００１２】図７は、実施例１、２の太陽光反射装置の設置例である。
以下、その動作について説明する。
図１、図２、及び図３に於いて、受光素子３を仕切板６の左側にＰＡ、右側にＰＢを配置し、右方向から光が当るとＰＡは仕切板６の陰になりＰＢに当る光の方が強いので、ＰＢの内部抵抗の変化が大きくて、それに対応した出力リレーＸＢが動作する。又、左方向から光が当ると、同じく出力リレーＸＡが動作する。正面から光が受光素子３のＰＡ、ＰＢに等量当ると、比較アンプ１の出力は無くなり出力リレーＸＡ及びＸＢは共に動作しない。受光素子３を仕切板６の上、下方向に配置した、ＰＣ、ＰＤとそれに対応した出力センサーＸＣ及びＸＤの動作も同様である。【００１３】次に、前記光センサー１０を姿勢制御装置に実装した場合の動きについて説明する。
図４に於いて、反射光２３が光センサー１０に右方向から当った場合は、前述した通り、出力リレーＸＢが、左方向から当った場合は、出力リレーＸＡが動作するので、図６の電気接続図に従って、モータ１５は正、逆転し、光センサー１０に反射光２３が等量当った位置で停止する。【００１４】次に、太陽が移動すると反射光２３の方向も移動し、光センサー１０に当る光のバランスが崩れるので、出力リレー４の動作に従ってモータｌ５が回転し、反射板９が向きを変えて、反射光２３の方向を保持する。この一連の動きは、太陽光２２の移動に追随して繰り返す。又図５の上、下方向の姿勢制御に関しても、前記の様に光センサー１０とその出力リレーＸＣ、ＸＤの動きは同様である。モータ１８と反射板９の動きも同様で、反射光２３は光センサー１０と常に対向していることになるので、その先にある家屋２０を照射し続けることになる。
【産業上の利用可能性】
【００１５】高層マンションやビルの建設に伴い、各地で日照権の問題が有り、その解決の方法として、安価で本装置を提供出来る。
【図面の簡単な説明】
【００１６】
【図１】  実施例の光センサー回路の説明図である。
【図２】  実施例の光センサー内部の受光素子と仕切板の配置図である。
【図３】  光センサー内部の右側面図である。
【図４】  実施例の左右方向姿勢制御装置の正面図である。
【図５】  実施例の上下方向姿勢制御装置の右側面図である。
【図６】  実施例の姿勢制御用モータの電気接続図である。
【図７】  実施例の太陽光反射装置の設置例である。
【符号の説明】
【００１７】      １    比較アンプ（左右方向）
２    比較アンプ（上下方向）
３    受光素子（ＰＡ、ＰＢ、ＰＣ、ＰＤ）
４    出力リレー（ＸＡ、ＸＢ、ＸＣ、ＸＤ）
５    取付基板（受光素子用）
６    仕切板（受光素子用）
７    ベース
８    カバー
９    反射板
１０  光センサー本体
１１  駆動軸（左右用）
１２  フレーム
１３  歯車（左右用）
１４  軸受け
１５  モータ（左右用）
１６  歯車（上下用）
１７  駆動軸（上下用）
１８  モータ（上下用）
１９  ビル
２０  家屋
２１  モータ駆動用電源
２２  太陽
２３  反射光
【図１】
2005276793.tif 000003
【図２】
2005276793.tif 000004
【図３】
2005276793.tif 000005
【図４】
2005276793.tif 000006
【図５】
2005276793.tif 000007
【図６】
2005276793.tif 000008
【図７】
2005276793.tif 000009
(57)【要約】【課題】従来のリモコン等ワイヤレス送信機の電源には、電池が使用されているが、電池の消耗により機器が機能しなくなるため、使用を中断しなければならず、そのうえ電池交換や充電のために手間とコストがかかっていた。【解決手段】押しボタンと、この押しボタンと連動するコイルと、前記コイルが移動する範囲に磁場をつくる永久磁石と、前記押しボタンと連動するスイッチとを有し、前記押しボタンを押したり離したりすることにより前記コイルに誘導起電力が発生する。特に、押しボタンが複数ある場合、前記コイルに接合された板と前記押しボタンとを連動させる。【選択図】図１
2005276719.tif 000002
【特許請求の範囲】
【請求項１】
押しボタンと、この押しボタンと連動するコイルと、前記コイルが移動
する範囲に磁場をつくる永久磁石と、前記押しボタンと連動するスイッチとを有し、前記
押しボタンを押したり離したりすることにより前記コイルに誘導起電力が発生することを
特徴とする発電スイッチ。
【請求項２】
前記コイルには板が接合され、この板と前記押しボタンは接合されてお
らず、前記押しボタンを押すと、前記板が押されて前記コイルが移動し、離すと、前記板
および前記コイルがバネにより元の位置に戻ることを特徴とする請求項１記載の発電スイ
ッチ。
【請求項３】
前記発電スイッチ本体を、リモコン等ワイヤレス送信機のいくつかの押
しボタンに連結したことを特徴とする請求項１または請求項２記載の発電スイッチ。
【発明の詳細な説明】
【技術分野】
【０００１】
この発明は、押しボタンを有する電気機器および電子機器、特にリモコン等ワイヤレス
送信機の電源に関する。
【背景技術】
【０００２】
従来のリモコン等ワイヤレス送信機の電源には、電池が使用されている。
【発明の開示】
【発明が解決しようとする課題】
【０００３】
しかしながら、以上の技術によれば、電池の消耗により機器が機能しなくなるため、使
用を中断しなければならず、そのうえ電池交換や充電のために手間とコストがかかってい
た。
そこで、この発明は、常に機能し、電池交換や充電の手間とコストがかからない機器を
提供することを課題とする。
【課題を解決するための手段】
【０００４】
以上の課題を解決するために、第一発明は、押しボタンと、この押しボタンと連動する
コイルと、前記コイルが移動する範囲に磁場をつくる永久磁石と、前記押しボタンと連動
するスイッチとを有し、前記押しボタンを押したり離したりすることにより前記コイルに
誘導起電力が発生することを特徴とする発電スイッチである。
【０００５】
また、第二発明は、押しボタンと、コイルと、前記コイルが移動する範囲に磁場をつく
る永久磁石と、前記押しボタンと連動するスイッチとを有し、前記コイルには板が接合さ
れ、この板と前記押しボタンは接合されておらず、前記押しボタンを押すと、前記板が押
されて前記コイルが移動し、離すと、前記板および前記コイルがバネにより元の位置に戻
ることによって、前記コイルに誘導起電力が発生することを特徴とする発電スイッチであ
る。
【０００６】
また、第三発明は、押しボタンと、この押しボタンと連動するコイルと、前記コイルが
移動する範囲に磁場をつくる永久磁石と、前記押しボタンと連動するスイッチとを有し、
前記押しボタンを押したり離したりすることにより前記コイルに誘導起電力が発生するこ
とを特徴とする発電スイッチ本体を、リモコン等ワイヤレス送信機のいくつかの押しボタ
ンに連結したことを特徴とする発電スイッチである。
【発明の効果】
【０００７】
第一発明、第二発明、第三発明によれば、押しボタンを押すことにより起こした電気を
利用するので、電池が不要になる。そのため、電池の消耗による機器の使用の中断がなく
なり、電池交換や充電の手間とコストもかからない。電池を使わないことで、省資源、省
エネルギーも実現する。
【発明を実施するための最良の形態】
【０００８】
この発明の一実施形態を、図１および図２に示す。
板３にはいくつかの押しボタン１を通す穴６が設けられ、コイル４が接合されており、
力を加えない状態では図１の位置にある。スイッチ部２および永久磁石５は、固定されて
いる。押しボタン１が押されると、スイッチ部２が動作するのと同時に板３が押し下げら
れる。このとき、コイル４が永久磁石５のつくる磁場の中を移動するため、電磁誘導の法
則によりコイル４の両端子に誘導起電力が発生する。
【０００９】
押しボタン１と板３とは接合されていないため、目的の押しボタン以外の押しボタンが
連動して押されることはない。押しボタン１を離すと、板３およびコイル４はバネ７によ
り元の位置に戻る。このときも同様に誘導起電力が発生する。
【００１０】
スイッチ部２は押しボタン１の操作により機器の電気回路に対するスイッチとして使用
され、コイル４がその電源として使用される。押しボタン１を押したときと離したときと
でコイル４に発生する誘導起電力の極性が反転するので、必要に応じて回路内に整流器を
接続し、極性をそろえる、あるいはどちらか一方の極性の誘導起電力のみを用いるように
する。
【００１１】
「実施形態の効果」
この実施形態によれば、複数の押しボタン１がある場合でも、コイル４と永久磁石５を
押しボタン１一つ一つに取り付ける必要がないため、効率的な発電が可能である。
【００１２】
「他の実施形態」
図１の実施形態では、コイル４の芯と板３とが垂直になるように接合され、永久磁石５
がコイル４の内部に収まるように設けられていたが、他の実施形態では、図３のように、
コイル４の芯と板３とが平行になるように接合され、永久磁石５を、コイル４を挟む形で
異なる極同士を向かい合わせて設けたものでも良い。
【図面の簡単な説明】
【００１３】
【図１】この発明の一実施形態を示す断面図である。
【図２】この発明の一実施形態を示す斜視図である。
【図３】この発明の他の実施形態を示す断面図である。
【符号の説明】
【００１４】
１  押しボタン
２  スイッチ部
３  板
４  コイル
５  永久磁石
６  押しボタンを通す穴
７  バネ
【図１】
2005276719.tif 000003
【図２】
2005276719.tif 000004
【図３】
2005276719.tif 000005
(57)【要約】【課題】ボーカルマイクなどが接続される場合、歌手が激しく動き回るなどすれば、プラグとコードの間にストレスがかかり、やがては断線してしまう。【解決手段】電極と電極を保持する略球形な保持部材と保持部材が回動可能に保持部材を包囲するハウジングからなり、前記ハウジングは電極が露出するように開口部を設け、プラグを首振り可能に接続する。 また、プラグは開口部を有し、開口部には伸縮自在の覆いを形成しプラグがレセプタクルに接続されたさいにレセプタクルの一部に覆いが被さり接続状態を補助する。【選択図】図４
2005276659.tif 000002
【特許請求の範囲】
【請求項１】
電極と
前記電極を保持する略球形な保持部材と
前記保持部材が回動可能に前記保持部材を包囲するハウジング
からなり、
前記ハウジングは前記電極が露出するように開口部を設けた
ことを特徴とするコネクタ。
【請求項２】
電極と
前記電極を保持する略球形な保持部材と
前記保持部材が回動可能に前記保持部材を包囲するハウジング
からなり、
前記ハウジングは前記電極が露出するように開口部を設けるとともに
ボード等に前記ハウジングを固定する固定手段を有する
ことを特徴とするレセプタクル。
【請求項３】
レセプタクルに接続されるプラグであり、
前記プラグの外装は前記レセプタクルと接続可能なように開口部を有し、
前記開口部には伸縮自在の覆いを形成し
前記プラグが前記レセプタクルに接続されたさいに
前記レセプタクルの一部に前記覆いが被さり接続状態を補助する
ことを特徴とするプラグ。
【請求項４】
請求項２記載のレセプタクルと
請求項３記載のプラグを用いて
少なくとも２つの電気回路を接続する
ことを特徴とする接続方法。
【発明の詳細な説明】
【技術分野】
【０００１】
本発明の技術分野はコネクタ、プラグ、レセプタクル等の接続部材と、その接続部材を用いる接続方法に係る。
【背景技術】
【０００２】
壁等に固定されたレセプタクルにプラグを差込ことにより接続を行う方法は周知でり、広く使われている。特許文献１として開示したものなどがある。
【特許文献１】特開２００２−１７０６３７号公報
【発明の開示】
【発明が解決しようとする課題】
【０００３】
ところで、プラグの一方はレセプタクルに固定され、他の一方がコードを介してボーカルマイクなどが接続される場合、歌手が激しく動き回るなどすれば、プラグとコードの間にストレスがかかり、やがては断線してしまう。そこで、本発明はプラグがレセプタクルに首振り可能に固定され、プラグとコードのストレスが発生しないようにする接続部材、および接続方法の提供を課題とする。    
【課題を解決するための手段】
【０００４】
請求項１及び２に係る発明は、
電極と前記電極を保持する略球形な保持部材と前記保持部材が回動可能に前記保持部材を包囲するハウジングからなり、前記ハウジングは前記電極が露出するように開口部を設け、プラグを首振り可能に接続する。
【０００５】
また、請求項３に係る発明は、
プラグの外装は前記レセプタクルと接続可能なように開口部を有し、前記開口部には蛇腹上の覆いを形成し、前記プラグが前記レセプタクルに接続されたさいに前記レセプタクルの一部に前記覆いが被さり接続状態を補助する。
【０００６】
さらに、請求項４に係る発明は請求項１ないし２記載の接続部材と請求項３記載の接続部在を用いて、プラグとコードのストレスが発生しないようにする。    
【発明の効果】
【０００７】
壁等に固定されたレセプタクルにプラグが首振り自在に接続されるので、激しく動き回る使用状況においても、プラグとコードのストレスが発生せず、断線の発生が軽減される。    
【発明を実施するための最良の形態】
【０００８】
請求項１に係る発明を、図１を用いて説明する。
請求項１に係る発明は電極と前記電極を保持する略球形な保持部材と前記保持部材が回動可能に前記保持部材を包囲するハウジングからなり、前記ハウジングは前記電極が露出するように開口部を設けたコネクタである。  
前記電極は金属等の導電対をピンや筒状に整形して用いる。
保持部材は電極の両端が露出するように、金属を保持し、その外観は略球形に成形する。
ハウジングは保持部材が回動可能に保持部材を包囲する。  また、電極への接続を可能とするために開口部を設ける。
【０００９】
請求項２に係る発明を、図２を用いて説明する。
請求項２に係る発明は請求項１に係る発明と同様な電極、保持部材、ハウジングを用いる。
また、同部材をボード等に固定するために、図２のような、ネジ取り付け穴のあいた舌片等を成形する。
【００１０】
請求項３に係る発明を、図３を用いて説明する。
本発明は請求項１又は２記載の接続部材に接続されるプラグである。
前記プラグの外装は前記レセプタクルと接続可能なように開口部を有し、前記開口部には伸縮自在の覆いを形成し、前記プラグが前記レセプタクルに接続されたさいに、前記レセプタクルの一部に前記覆いが被さり接続状態を補助する。  伸縮自在な覆いとしては蛇腹などがある。
【００１１】
請求項４に係る発明を、図４を用いて説明する。
本発明は請求項１又は２記載の接続部材と請求項３記載の接続部在を用いる接続方法に係る。
請求項１又は２記載の接続部材と請求項３記載の接続部在の電極同しが接触し導通する。
また請求項３記載の接続部材の覆いが請求項１又は２記載の接続部材の一部に被さり、接続を補助する。
【図面の簡単な説明】
【００１２】
【図１】・・・請求項１記載の接続部材（コネクタ）
【図２】・・・請求項２記載の接続部材（レセプタクル）
【図３】・・・請求項３記載の接続部材（プラグ）
【図４】・・・請求項４記載の接続方法用いた接続図
【図１】
2005276659.tif 000003
【図２】
2005276659.tif 000004
【図３】
2005276659.tif 000005
【図４】
2005276659.tif 000006
(57)【要約】      （修正有）【課題】インターネットとコンピューターを利用し、犬を共に生きるものとして、人とその犬と健康情報を総合して分析し、両者に最適な運動や生活、そしてサプリメント等の最適な健康情報メニューを提供する。【解決手段】犬１や、飼い主２、または、その家族３の基本情報４、および、実際の人と犬の生活履歴７を入力し、健康管理ソフトまたは健康管理者５が、飼い主２またはその家族３に最適健康生活メニュー６を送付する。【選択図】図１
2005276141.tif 000002
【特許請求の範囲】
【請求項１】
飼い犬の健康管理を、その犬の犬種、雌雄、生年月日、体重、病歴等の基本情報をインターネットを利用し入力する。そしてその情報を基に分析し、サプリメントや予防注射等の時期や種類、および日常の運動等、最適健康管理情報を提案提供するシステム。
【請求項２】
飼い犬、または架空の犬と、その飼い主またはその飼い主の家族等の健康情報をインターネットを利用し分析し、両者に合った最適健康提案メニュー情報を配信サービスするビジネスシステム。
【請求項３】
請求項１、請求項２を用いた予防医学や健康保険等のサービスシステム。
【発明の詳細な説明】
【技術分野】
【０００１】この発明は、人と犬の健康に関する情報の取扱に係り、特に両者の情報をもとに、電子カルテを作り、両者に最適な健康情報を提供し、飼い主そしてその家族と犬の共生健康生活を支援するシステムに関するものである。
【背景技術】
【０００２】近年、高齢化社会と成人病の低年齢化は医療費増大という社会的負担の増大をもたらした。また、犬についても色々な研究がなされ、犬との接触が人間の健康に良い結果をもたらすとの報告が相次いだ。一方、インターネットシステム等のＩＴ関連の技術進歩は新しいサービスの提供を可能にしてきた。
【発明の開示】
【発明が解決しようとする課題】
【０００３】しかしながら、以上の従来技術によれば、犬の健康管理と飼い主およびその家族の健康管理には、なんら関連は無かった。
【課題を解決するための手段】
【０００４】本発明は、インターネットとコンピューターを利用し、犬を共に生きるものとして、人とその犬と健康情報を総合して分析し、両者に最適な運動や生活そして、サプリメント等の最適な健康情報メニューを提供するシステムです。
【発明の効果】
【０００５】上述したように、本発明により、犬と人の共同体意識が強まり、孤独感の軽減、運動に対する動機付け、生活習慣の改善、健康の行動履歴の共有等、肉体的、精神的好影響がある。【０００６】当システムが提供する健康メニューを参考に生活すれば、愛犬を世話し、共に生きることで健康改善が図れる。
【発明を実施するための最良の形態】
【０００７】以下、本発明の一実施形態を、図１に基づいて説明する。【０００８】図において、犬１の基本情報を入力、またその飼い主２、または飼い主の家族３の基本情報４を入力、健康管理ソフトまたは健康管理者５が最適健康生活提案メニュー６を送付、犬の飼い主２または飼い主の家族３は、実際の人と犬の生活履歴７を入力、健康管理ソフトまたは健康管理者５は基本情報４を基に、生活履歴７を分析、最適健康生活提案メニュー６を犬の飼い主２、または飼い主の家族３に送付し継続的にやりとりする。【０００９】犬１は架空の犬でも良い。
【図面の簡単な説明】
【００１０】
【図１】本発明の実施形態を示す。
【符号の説明】
【００１１】    １  犬または架空の犬のカード
２  飼い主
３  飼い主の家族
４  基本情報
５  健康管理ソフトまたは健康管理者
６  最適健康生活提案メニュー
７  生活履歴
【図１】
2005276141.tif 000003
(57)【要約】【課題】操作容易に発音させて防犯目的を達することのできる発音機能付きのキーホルダーを提供する。【解決手段】発音体と発音制御機構とキー係止部とを有することを特徴とする。【選択図】      図６
2005276146.tif 000002
【特許請求の範囲】
【請求項１】
発音体と発音制御機構とキー係止部とを有することを特徴とする発音機能付きキーホルダー。
【発明の詳細な説明】
【技術分野】
【０００１】  この発明は、キーホルダーに発音機能を備えた、新規なキーホルダーに関する。
【背景技術】
【０００２】  従来より、キーをまとめて保管・保持するためのキーホルダーが多用されているが、本発明にて示すように発音機能を備えたキーホルダーは現在のところ見当たらない。
【発明の開示】
【発明が解決しようとする課題】
【０００３】  前記のように従来よりキーホルダーが市販利用されているが、単にキーの保管・保持のみの単機能物品である。一方、防犯のための防犯ブザーがあり、ケース内に発音機能やスイッチ等を内蔵し、非常時に発音させて防犯目的を達するものがある。
しかし、例えば衣服のポケットやバッグ内にこの防犯ブザーを収納していた場合、そのブザーを探して取りだし、スイッチを押す操作が必要であり、とっさに発音させることが難しく、十分な防犯が可能とはいいがたい。また、キーホルダーと防犯ブザーの双方を所持しなければならない。
本発明は、以上のような従来からの防犯手段に関わる課題を解決するために発明されたもので、所持確率の高いキーホルダーに発音機能を組み込むことにより、必要な場合にすみやかに発音させることのできる新規かつ有用なる発音機能付きのキーホルダーを提供することを目的としたものである。
【課題を解決するための手段】
【０００４】  課題を解決する手段として本発明は、発音体と発音制御機構およびキー保持手段にてその主要部を構成した。
すなわち、本発明は発音体と発音制御機構とキー係止部とを有することを特徴とする発音機能付きキーホルダーである。
【発明の効果】
【０００５】  本発明によれば、キーホルダーとしてのカバーケースに、キー引張による発音機能、各スイッチによる発音機能、発音制御機構を備えているので、非常時にすばやく発音させることができ、かつ発音時間を設定することができるため、防犯効果の大なる物品を提供することができる。またカバーケース内にキーを収納できるため、一般のキーホルダーとして常備し活用することができる。
【発明を実施するための最良の形態】
【０００６】  以下、本発明の実施形態について説明する。
図において、１は皮革製のカバーケースで、図６に示すように開閉可能であり、スナップ２により係止可能に形成される。このカバーケースにはキーを係止させるための通し穴３が設けられる。４は発音箱で、略直方体形状の箱体であり、発音器（市販の小型ブザー等）、発音制御機構としての発音継続制御回路（公知技術回路）、スイッチ部、電池を各々内蔵している。なお、図示は略したが、箱の一部を開閉可能とし、電池交換や発音継続時間設定をすることができる。また、箱側面適所に複数個の細穴を設けて発音効果を高めることができる。５は添板で、発音箱側面下部に取り付けられる合成樹脂製の弾性板、６および７はカバーケース下部に設けられる保護板である。８はカバーケース内面上部に設けられる発音操作部である。この発音操作部は、カバーケース内面より一段上がった凸部９の中に凹部１０が形成され、この凹部内に設けた支軸１１に丸棒状の回動軸１２の一端が軸支され、軸の他端には引張スプリング１３の一端が取り付けられ、引張スプリングの他端は凹部内に係止される。１４はブザースイッチで、凹部内上方に設けられ、接触子１５が突出している。また、回動軸位置から上方に向けて前記通し穴３が形成されている。以上の通し穴と回動軸にてキー係止部が構成される。【０００７】  従って、図５に示すように、キーの有する穴に環体を取り付け、この環体の一端を回動軸に通すことにより、キーに対してカバーケースを引くと支軸を回動中心として回動軸は回動して接触子１５を押し、発音箱内の発音体を発音させることができる。なお、通常時は引張スプリングにて回動軸端は下方に引張されているので発音することはない。
この発音操作部上面にはカバー板１６が取り付けられる。
１７はバックスイッチで、湾曲平板１８をスポンジその他の弾性体１９にてカバーケース裏面に貼着し、発音箱内のスイッチ部（図示略）から突出している接触子２０が、カバーケース裏面適所に設けた孔より突出して湾曲板体に極近接して構成されたものである。
カバーケースを握って指でこのバックスイッチを押すと、弾性体が変形して湾曲平板が接触子を押し下げ、発音箱内の発音体を発音させることができる。なお、本発明はカバーケースが開閉可能であり、キーを該ケース内に収納できるので一般のキーホルダー同様に使用することができる。なお、発音箱と各スイッチは適宜に配線される。【０００８】  ドアの施錠時や施錠解除時に不意に他者に襲われたとき、カバーケースより突出しているキーを引いたり、または鍵穴にキーを差し込んだ状態ではカバーケースを引くことによって、ブザースイッチが作動して発音させることができ、設定時間の間鳴り続けることとなるので防犯効果を発揮することができる。そして、カバーケース裏面にはバックスイッチがあるので、この部分を指で押圧して発音させることもできる。
このバックスイッチは、カバーケースを指で押さえたときの各指先端位置に対応した湾曲平板に近接して３個の接触子が位置しているので押しやすい。
さらに、追加部分として、仮想線で示すように発音箱側面に複数個の接触子を微突出させ、これを指の腹で押して発音するよう構成してもよい。あるいは接触子を環状とし、これに紐等を結びつけて、この紐を引いて発音するよう構成してもよい。
なお、図で示す添板は自転車用のキーなどを添板と発音箱の隙間に差し込んで、一時的に保管するためのものであり、保護板は収納したキーの保護およびカバーケース内収納物の落下防止のためのものである。
以上のごとく、本発明によって防犯上有益なるキーホルダーを得ることができる。
【図面の簡単な説明】
【０００９】
【図１】本発明の構造説明図（平面視）
【図２】本発明の正面図
【図３】本発明の背面図
【図４】本発明の要部構造説明図（側面視）
【図５】本発明の要部構造説明図（一部切り欠き状態）
【図６】本発明のカバーケース開状態説明図
【符号の説明】
【００１０】１  カバーケース
２  スナップ
３  通し穴
４  発音箱
５  添板
６  保護板
７  保護板
８  発音操作部
９  凸部
１０  凹部
１１  支軸
１２  回動軸
１３  引張スプリング
１４  ブザースイッチ
１５  接触子
１６  カバー板
１７  バックスイッチ
１８  湾曲平板
１９  弾性体
２０〜２４  接触子
【図１】
2005276146.tif 000003
【図２】
2005276146.tif 000004
【図３】
2005276146.tif 000005
【図４】
2005276146.tif 000006
【図５】
2005276146.tif 000007
【図６】
2005276146.tif 000008
(57)【要約】【課題】  家やマンションの防犯装置に関するもので完全な防犯を目的とする防犯装置を考える。【解決手段】  家の周囲に軒先から赤外線をシャワーのように放射させ、この感知装置を設け、犯人が家に近づいたときに知らせる。勿論家人や知人の場合には予め連絡してセンサーを切る。【選択図】  図１
2005276143.tif 000002
【特許請求の範囲】
【請求項１】
家の外周囲に赤外線回路を形成して赤外線センサーを構成し、侵入者を感知するとブザーが鳴ると共に警備会社に通報することを特徴とした赤外線を利用した防犯装置。
【請求項２】
マンションの玄関ドアーの上下に赤外線回路を形成して赤外線センサーを構成し、ブザーを鳴らすと共に、警備会社に通報することを特徴とした赤外線利用の防犯装置。
【発明の詳細な説明】
【技術分野】
【０００１】  本発明は、赤外線センサーにより侵入者を感知すると、これをブザー等で知らせる防犯装置に関する。
【背景技術】
【０００２】  従来、監視カメラ等で侵入者を監視すること、或は窓や施錠等の破壊から作動するリレー等による通報で警備会社等への通報は一般に知られている。
【特許文献】    特開平１０−１１６７０号公報
【発明の開示】
【発明が解決しようとする課題】
【０００３】  前記公知例は、電光又は赤外線防犯システムであって、トラックの荷台に赤外線センサーを設けるもので、侵入者が荷台に近づいたときにライトが作動し、オーナーに電話が通じて通報されるものである。
【課題を解決するための手段】
【０００４】  発明者はこの赤外線利用の防犯システムに対して鋭意研究をした結果、本発明に到達したもので、本発明は家全体を赤外線で覆い、侵入者があった場合にはブザーを鳴らすと共に警備会社に通報するものである。
【発明の効果】
【０００５】  上述のように本発明の防犯装置は、家全体を赤外線センサーで覆うため寸分のすきもなく、侵入者は直ちに発見され、ブザーで知らされることとなり、加えて警備会社へも通知されるシステムであって、防犯上完全と思われ、その効果は大きい。
【発明を実施するための最良の形態】
【０００６】  添付図面により本発明の実施の形態を説明すると、図１は家全体を赤外線センサーで防護した実施例図、図２はマンションの玄関口を赤外線センサーで防護した実施例図を示す。
【実施例】
【０００７】  添付図面に基づいて本発明を説明すると、図１は家全体の周囲を赤外線センサーで覆うもので、家の軒先から赤外線を放射する方式のものである。図２はマンションの玄関口の上から赤外線センサーを設ける実施例である。
そしてこの赤外線センサーを遮断した場合には家主に電話で知らせると同時に、警備会社に通報する方式とする。この通信・通報は図３の赤外線回路を参照のこととする。【０００８】  この警報回路は侵入者のみでなく訪問者にも作用するものであるから、知人、友人さらには配達人等は予め電話を入れて赤外線センサーを解除してもらう必要がある。
【産業上の利用可能性】
【０００９】  本発明の防犯装置は家全体を、またはマンションの玄関口を赤外線センサーで防護し、侵入者があると、これを探知して知らせるため完全な防犯が期待できる。
【図面の簡単な説明】
【００１０】
【図１】  家全体を赤外線センサーで囲う実施例図
【図２】  マンションの玄関口を赤外線センサーで防護する実施例図
【図３】  赤外線センサーの回路図
【符号の説明】
【００１１】（１）…家
（２）…マンションのドアー
Ｋ…赤外線センサー
【図１】
2005276143.tif 000003
【図２】
2005276143.tif 000004
【手続補正書】
【提出日】平成16年6月17日(2004.6.17)
【手続補正１】
【補正対象書類名】明細書
【補正対象項目名】００１０
【補正方法】変更
【補正の内容】
【００１０】
【図１】家全体を赤外線センサーで囲う実施例図
【図２】マンションの玄関口を赤外線センサーで防護する実施例図
(57)【要約】【課題】本発明は、簡単な作業で、単体での取り付けを可能とする回路遮断器の取り付け構造を提供することを目的としている。【解決手段】本発明に係る回路遮断器の取り付け構造は、回路遮断器１の側面部に固定片４が挿入可能である挿入口３を形成し、固定片４にはねじ挿通孔５と挿入口３端部に係止可能であるストッパー部６を設け、挿入口３に固定片４をストッパー部６が挿入口３端部に係止するところまで挿入し、ねじ挿通孔５にねじを挿通し、分電盤の底板等に締めつけ、回路遮断器１を固定可能であると共に、固定片４を挿入口３の奥まで挿入し、分電盤に設置された取り付け板を介しても分電盤に固定可能であることを特徴とする。【選択図】図１
2005276462.tif 000002
【特許請求の範囲】
【請求項１】
分電盤等に収められ用いられる回路遮断器の取り付け構造であって、前記回路遮断器の側面部に固定片が挿入可能である挿入口を形成し、前記固定片にはねじ挿通孔と前記挿入口端部に係止可能であるストッパー部を設け、前記挿入口に前記固定片を前記ストッパー部が前記挿入口端部に係止するところまで挿入し、前記ねじ挿通孔にねじを挿通し、前記分電盤の底板等に締めつけ、前記回路遮断器を固定可能であると共に、前記固定片を前記挿入口の奥まで挿入し、前記分電盤に設置された取り付け板を介しても前記分電盤に固定可能であることを特徴とする回路遮断器の取り付け構造。
【発明の詳細な説明】
【技術分野】
【０００１】
本発明は、分電盤等に収められ用いられる回路遮断器の取り付け構造に関するものである。
【背景技術】
【０００２】
従来、薄型の回路遮断器３１は専用の取り付け金具３２を製作し、分電盤に取り付け金具３２をねじ３３により固定し、取り付け金具３２の取り付け爪３４に回路遮断器３１の側面に設けられた係止部３５を係止させて回路遮断器３１を固定していた。
【０００３】
または、分電盤に回路遮断器専用のパネルを取り付け、このパネルにいくつか複数の回路遮断器を一度に固定していた。
【非特許文献１】２００３  カワムラカタログ  電設資材編Ｎｏ．３４  平成１５年５月１日改訂
【発明の開示】
【発明が解決しようとする課題】
【０００４】
しかしながら、上記専用の取り付け金具を用いる場合、取り付け金具と、取り付け金具を固定するための取り付けねじとが必要であり、部品点数が増え、作業や在庫管理に手間がかかるという欠点があった。また、確実にねじ締めをしても、取り付け金具は小さく、回路遮断器に横からの荷重がかかったとき、脱落の虞があった。
【０００５】
また、専用パネルを用いて回路遮断器を固定する方法では、回路遮断器を単体で取り付けたいときに対応できない。また、専用パネルであるため、回路遮断器の種類によってそれぞれ作り替えが必要であった。
【課題を解決するための手段】
【０００６】
そこで本発明は、簡単な作業で、単体での取り付けを可能とする回路遮断器の取り付け構造を提供することを目的とし、その構造は、回路遮断器の側面部に固定片が挿入可能である挿入口を形成し、固定片にはねじ挿通孔と挿入口端部に係止可能であるストッパー部を設け、挿入口に固定片をストッパー部が挿入口端部に係止するところまで挿入し、ねじ挿通孔にねじを挿通し、分電盤の底板等に締めつけ、回路遮断器を固定可能であると共に、固定片を挿入口の奥まで挿入し、分電盤に設置された取り付け板を介しても分電盤に固定可能であることを特徴とする。
【発明の効果】
【０００７】
本発明の回路遮断器の取り付け構造は、回路遮断器の側面部に固定片が挿入可能である挿入口を形成し、固定片にはねじ挿通孔と挿入口端部に係止可能であるストッパー部を設け、挿入口に固定片をストッパー部が挿入口端部に係止するところまで挿入し、ねじ挿通孔にねじを挿通し、分電盤の底板等に締めつけ、回路遮断器を固定可能であると共に、固定片を挿入口の奥まで挿入し、分電盤に設置された取り付け板を介しても分電盤に固定可能であるため、薄型の回路遮断器の単体での取り付けにも、従来の取り付け金具や専用パネルへの取り付けにも対応できる。また、外観、外形寸法を変更せずに対応でき、回路遮断器の取り替えも円滑に行える。固定片により、確実に回路遮断器を固定できるので、横から荷重がかかっても、外れる虞がない。特別な部品を必要としないため、回路遮断器を配置する周辺の設計上の制約が少ない。
【発明を実施するための最良の形態】
【０００８】
本発明の回路遮断器の取り付け構造は、単体の取り付けも、従来の取り付け金具や専用パネルへの取り付けも対応するという目的を、特別な部品を用いずに実現した。
【実施例１】
【０００９】
本発明に係る回路遮断器の取り付け構造を図１〜図３の添付図面に基づいて説明する。
【００１０】
薄型の回路遮断器１には、端子部２の下部に挿入口３を設けている。挿入口３には固定片４が挿入可能である。固定片４にはねじ挿通孔５が設けられ、また、側面端部には回路遮断器１の挿入口３端部と係止可能であるストッパー部６が設けられる。一方挿入口３には、固定片４が勘合する溝７を設けると共に、挿入口３の入り口付近は、固定片４を挿入した状態の時、固定片４の上面に空間８ができるように略凸状の形状にする。
【００１１】
従来用いていた取り付け金具や、専用パネルに取り付ける場合には、固定片４を挿入口３の奥まで挿入し、挿入口３から固定片４が突出しないようにする。固定片４の上面にある空間８に取り付け金具や専用パネルの取り付け爪を係止させて回路遮断器１を固定する。
【００１２】
また、回路遮断器１を単体で取り付けたいときなど、取り付け金具や専用パネルを用いない場合には、固定片４をストッパー部６が挿入口３に係止する位置まで挿入し、その位置でねじ挿通孔５にねじ９を挿通し、ねじを締め付け分電盤に回路遮断器１を固定する。
【００１３】
回路遮断器１に固定片４を組み付けた状態を完成品とし、回路遮断器１を取り付け金具や専用パネルに取り付ける場合も、単体で取り付ける場合も、それぞれ固定片４の位置を変更するだけで同じ回路遮断器１により対応可能とする。
【産業上の利用可能性】
【００１４】
回路遮断器に組み付けた固定片によって、回路遮断器を従来の取り付け金具や専用パネルに取り付ける場合にも、単体で取り付ける場合にも同じ回路遮断器で対応でき、挿入口へ固定片を挿入することにより特に単体で取り付けるときに横から荷重がかかっても回路遮断器が外れないように確実に取り付けたい場合にも対応できる。
【図面の簡単な説明】
【００１５】
【図１】本発明に係る回路遮断器の取り付け構造を示す説明図である。（実施例１）
【図２】本発明に係る回路遮断器の取り付け構造を示す説明図である。（実施例１）
【図３】本発明に係る回路遮断器の取り付け構造を示す説明図である。（実施例１）
【図４】従来技術における回路遮断器の取り付け構造を示す説明図である。
【符号の説明】
【００１６】
１      回路遮断器
２      端子部
３      挿入口
４      固定片
５      ねじ挿通孔
６      ストッパー部
７      溝
８      空間
９      ねじ
【図１】
2005276462.tif 000003
【図２】
2005276462.tif 000004
【図３】
2005276462.tif 000005
【図４】
2005276462.tif 000006
(57)【要約】      （修正有）【課題】小型内燃機から大型内燃機まで、その放電板の組み合わせによって自由に調整が可能となるオゾン発生板の取付方法を提供する。【解決手段】セラミック沿面放電オゾン発生板を使用することで吸気取り入れ口、あるいはエアクリーナ内部に直接取り付けることが可能となった。エアークリーナー内部の体積が非常に狭い作りの車輌に対しては、外気取り入れ口直前にダクトを装着した発生機を取り付けることにより、オゾンガスの大きな減衰もなくエンジンが必要とするオゾンとの混合空気がシリンダー内部に吸入されるのである。【選択図】図１
2005069211.tif 000002
【特許請求の範囲】
【請求項１】
車輌、船舶等の内燃機関において、吸気取入口、或いはエアークリーナ内部にセラミック沿面放電オゾン発生板を取付ける。
【発明の詳細な説明】
【発明の詳細な説明】
【技術分野】
【０００１】  この発明は、大気汚染公害の低減及び、燃費の向上化を計るオゾン発生器のセラミック沿面放電オゾン発生板の、取付けに関するものである。
【背景技術】
【０００２】  従来のオゾン発生器は、オゾンを発生させる為の高圧電源装置とオゾン発生器を一個のケースに入れ細いチューブで、所定の場所へオゾンガスを、送っていた。この為チューブ内でのオゾンガスの減衰が大きく、必然的に高濃度のオゾンガスを発生させる為、装置が大きくなり、又  接触する金属面を腐食させる等の欠点があった。
【発明が解決しようとする課題】
【０００３】  従って、細いチューブ内でのオゾンガスの減衰を無くすには、どうするか従来の機械的なオゾン発生器は、形状が大きく、振動  衝撃に弱い等の欠点があり、セラミック沿面放電オゾン発生板の検討に入った。
【課題を解決するための手段】
【０００４】  本発明は、セラミック沿面放電オゾン発生板を使用することで吸気取入口、或いは  エアークリーナ内部に直接、取付けることが可能となりチューブの必要が無く、前回の５０〜７０％減の低濃度のオゾンガスで、同等のオゾンガスが発生した。
【発明を実施するための最良の形態】
【０００５】  次に、本発明の実施の形態について、添付図面を参照しながら説明する。
図１は、エアークリーナ内部に図２に示すセラミック沿面放電オゾン発生板を取付けた状態で、外気は吸入孔１から入り  エアークリーナ内の空気とオゾンが混合し、ホース２からエンジン内部に送り込まれる。エンジン内部での燃料分子とオゾンガスとの酸化反応は下記の通りである。
トルエン    Ｃ６Ｈ５ＣＨ３６Ｏ３→７ＣＯ２＋４Ｈ２Ｏ
キシレン    Ｃ６Ｈ４（ＣＨ３）２＋７Ｏ３→８ＣＯ２＋５Ｈ２Ｏ
エタノール  Ｃ２Ｈ５ＯＨ＋２Ｏ３→２ＣＯ２＋３Ｈ２Ｏ
アセトン    ３ＣＨ３ＣＯＣＨ３＋８Ｏ３→９ＣＯ２＋９Ｈ２Ｏ
メタン      ３ＣＨ４＋４Ｏ３→３ＣＯ２＋６Ｈ２Ｏ
一酸化炭素  ＣＯ＋Ｏ３→ＣＯ２＋Ｏ２
ｎ−ヘキサン３ＣＨ３（ＣＨ２）４ＣＨ３＋１３Ｏ３→９ＣＯ２＋２１Ｈ２Ｏ
反応の結果は、完全燃焼の場合は水と炭酸ガスに転換される。
【発明の効果】
【０００６】  上記の通り、一酸化炭素等の大気汚染公害の低減と燃費の向上化が期待できる。
【図面の簡単な説明】
【図１】はエアークリーナーの概要図
【図２】はオゾン発生板のケース外観図
【図３】はオゾン発生板のケース断面図
【図４】はオゾン発生板の上面図
【図５】はオゾン発生板の下面図
【図６】はオゾン発生板の断面図
【符号の説明】
図１の１は、吸入孔、３はエアーフイルターで、４のオゾン発生板で発生したオゾンと空気が混合し、２の排出孔からエンジン内部へ吸引される。
図２は、オゾン発生板を収納するケース５である。６はメッシュ板で図３はケースの断面図である。
図４はオゾン発生板の上面図、図５は下面図、図６はその断面図である。１０はタングステン電極、１２はマイナス電極、１１、１３は蒸着した接続部である。
【図１】
2005069211.tif 000003
【図２】
2005069211.tif 000004
【図４】
2005069211.tif 000005
【図５】
2005069211.tif 000006
【図６】
2005069211.tif 000007